(57)【要約】      （修正有）【課題】ＲＦＩＤタグを回収して、このＲＦＩＤタグから非接触ＩＣ本体部分を取り出さずに再利用することができるＲＦＩＤタグを提供する。【解決手段】図２に示すＲＦＩＤタグ１０は、無線通信でデータの書き込みおよび消去が可能なＩＣチップ２とアンテナ４とからなる非接触ＩＣ本体６を内蔵したＲＦＩＤタグ１０であって、前記ＲＦＩＤタグ１０のＲＦＩＤタグ本体９は情報表示する面８を備え、この情報表示する面８に、所定の情報１２が一方の面に印字され、他方の面に粘着剤１４が塗布されたラベル２０を貼着して情報表示するものである。回収されたＲＦＩＤタグ１０は、その情報表示する面８から、旧情報を表示したラベル２０を剥離して、新たな情報を表示したラベル２０を貼着して情報表示するものである。【選択図】        図２
2006011320.tif 000002
【特許請求の範囲】
【請求項１】
無線通信でデータの書き込みおよび消去が可能なＩＣチップとアンテナとからなる非接触ＩＣ本体を内蔵したＲＦＩＤタグであって、前記ＲＦＩＤタグのＲＦＩＤタグ本体は情報表示する面を備え、この情報表示する面に、所定の情報が一方の面に印字され、他方の面に粘着剤が塗布されたラベルを貼着して情報表示することを特徴とするＲＦＩＤタグ。
【請求項２】
前記ラベルの他方の面に塗布された粘着剤は、前記ＲＦＩＤタグ本体の情報表示する面から剥離可能な再剥離性粘着剤であることを特徴とする請求項１記載のＲＦＩＤタグ。
【請求項３】
前記ＲＦＩＤタグ本体の少なくとも情報表示する面および前記ラベルは樹脂フィルム基材または合成紙基材からなり、このラベルの他方の面に塗布された粘着剤は強粘着剤であることを特徴とする請求項１記載のＲＦＩＤタグ。
【発明の詳細な説明】
【技術分野】
【０００１】
本発明は、無線通信でデータの書き込みおよび消去が可能なＩＣチップとアンテナとからなる非接触ＩＣ本体を内蔵したＲＦＩＤタグに関し、特に回収して再利用することができるＲＦＩＤタグに関するものである。
【背景技術】
【０００２】
従来から、製造、物流、販売などにおける商品管理では、所定の情報がコード化されたバーコードを使用した自動認識システムが用いられている。このバーコードはバーコードリーダによってコード化された所定の情報を瞬時に読み取ることができる。そのため、たとえば商品情報をコード化して印字したバーコードラベルを貼着して商品管理が行われている。しかし、バーコードはコード化できる情報の量に限りがあり、大量の情報をコード化することができず、また新たな情報の書き込みおよび不要な情報の消去といった情報の更新をすることができない。
【０００３】
このため、最近では、ＲＦＩＤ（Ｒａｄｉｏ Ｆｒｅｑｕｅｎｃｙ Ｉｄｅｎｔｉｆｉｃｔｉｏｎ）と呼ばれる、非接触通信による自動認識を使用したシステムが注目されている。このシステムは、ＩＣチップに情報を記憶し、このＩＣチップに情報の送受信を行うアンテナを接続して非接触ＩＣ本体としてＲＦＩＤタグに内蔵する。そして、このＲＦＩＤタグの非接触ＩＣ本体と、リーダライタのアンテナが電波によって通信し、データのやり取りを行ってＩＣチップの記憶情報の更新がされるようになっている。
【０００４】
前記ＲＦＩＤタグの非接触ＩＣ本体は、プラスチックフィルムなどの一方の面に、銅箔やアルミ箔を転写したり、銅ペーストや銀ペーストを印刷することによって、ループコイルアンテナを形成し、このループコイルアンテナにＩＣチップを接続したものである。現在、このＲＦＩＤタグの非接触ＩＣ本体は製造コストが高い状況にあることから、回収して再利用することが行われている。
【０００５】
しかしながら、前記非接触ＩＣ本体は前記ＲＦＩＤタグに内蔵されていることから、このＲＦＩＤタグから前記非接触ＩＣ本体部分だけを取り出して回収することは非常に面倒で手間がかかるという問題があった。また、前記ＲＦＩＤタグから前記非接触ＩＣ本体を着脱可能に構成したものも提案されているが、取り外した前記非接触ＩＣ本体の取扱いが面倒であるという問題があった。
【０００６】
なお、ＲＦＩＤタグから非接触ＩＣ本体を着脱可能に構成したものとして、ＲＦＩＤ付配送伝票に非接触ＩＣ本体を挿入するための透明なセロファンで作られたポケットを設けて、その配送過程の途中に前記ポケットから前記非接触ＩＣ本体を取り外してリサイクルするようにしたＲＦＩＤ付配送伝票として以下の公報がある。
【０００７】
【特許文献１】特開平２０００−３３５７１０号公報。
【発明の開示】
【発明が解決しようとする課題】
【０００８】
本発明は以上のような諸問題に鑑みなされたもので、ＲＦＩＤタグを回収して、このＲＦＩＤタグから非接触ＩＣ本体部分を取り出さずに再利用することができるＲＦＩＤタグを提供することを課題とする。  
【課題を解決するための手段】
【０００９】
本発明は上記課題を解決すべく、以下に掲げる構成とした。
請求項１記載の発明の要旨は、無線通信でデータの書き込みおよび消去が可能なＩＣチップとアンテナとからなる非接触ＩＣ本体を内蔵したＲＦＩＤタグであって、前記ＲＦＩＤタグのＲＦＩＤタグ本体は情報表示する面を備え、この情報表示する面に、所定の情報が一方の面に印字され、他方の面に粘着剤が塗布されたラベルを貼着して情報表示することを特徴とするＲＦＩＤタグに関する。
また請求項２記載の発明の要旨は、前記ラベルの他方の面に塗布された粘着剤は、前記ＲＦＩＤタグ本体の情報表示する面から剥離可能な再剥離性粘着剤であることを特徴とする請求項１記載のＲＦＩＤタグに関する。
また請求項３記載の発明の要旨は、前記ＲＦＩＤタグ本体の少なくとも情報表示する面および前記ラベルは樹脂フィルム基材または合成紙基材からなり、このラベルの他方の面に塗布された粘着剤は強粘着剤であることを特徴とする請求項１記載のＲＦＩＤタグに関する。
【発明の効果】
【００１０】
本発明は、無線通信でデータの書き込みおよび消去が可能なＩＣチップとアンテナとからなる非接触ＩＣ本体を内蔵したＲＦＩＤタグであって、前記ＲＦＩＤタグは情報表示する面を備え、この情報表示する面に、所定の情報が一方の面に印字され、他方の面に粘着剤が塗布されたラベルを貼着して情報表示するＲＦＩＤタグとしたので、ＲＦＩＤタグを回収して、このＲＦＩＤタグから非接触ＩＣ本体部分を取り出さずに再利用することができる。  
【発明を実施するための最良の形態】
【００１１】
次に、本発明にかかるＲＦＩＤタグについて図１乃至図８を用いて説明する。まず、本発明にかかるＲＦＩＤタグの第１の実施の形態について図１乃至図６を用いて説明する。図１は第１の実施の形態のＲＦＩＤタグの説明図、図２は図１に示すＡ−Ａ線概略断面図、図３は第１の実施の形態のＲＦＩＤタグからラベルを剥離する前の説明図、図４は第１の実施の形態のＲＦＩＤタグからラベルを剥離した後の説明図、図５は新たに印字発行されたラベルの説明図、図６は第１の実施の形態のＲＦＩＤタグに新たに印字発行されたラベルを貼着した説明図である。
【００１２】
図１および図２に示すＲＦＩＤタグ１０は、無線通信でデータの書き込みおよび消去が可能なＩＣチップ２とアンテナ４とからなる非接触ＩＣ本体６を内蔵したＲＦＩＤタグ１０であって、前記ＲＦＩＤタグ１０のＲＦＩＤタグ本体９は情報表示する面８を備え、この情報表示する面８に、所定の情報１２が一方の面に印字され、他方の面に粘着剤１４が塗布されたラベル２０を貼着して情報表示するものである。
【００１３】
以下、各々の構成について説明する。非接触ＩＣ本体６は、ポリエチレン、ポリプロピレン、ポリエチレンテレフタレートなどのフィルム上に、銀や銅などのワイヤーからなるコイルを貼り付けたり、銅やアルミニウムなどをコイル状にエッチングしたり、導電性を有するインキなどを用いてコイル状に印刷を施したりしてコイル状のアンテナ４を形成し、このアンテナ４に、記憶部、電源整流部、送信部、受信部などを備えたＩＣチップ２を接続したものである。
【００１４】
ＲＦＩＤタグ本体９は、前記非接触ＩＣ本体６を基材で内包して構成される。このＲＦＩＤタグ本体９を構成する基材は、ポリエチレン、ポリプロピレン、ポリエチレンテレフタレート、ポリスチレン、ポリウレタンなどの樹脂フィルム基材、ポリエチレンやポリプロピレンなどに充填材を加えて紙のような繊維状に加工した合成紙基材、上質紙、アート紙、コート紙などの紙基材、これらの単体や積層体や複合材を用いることができる。
【００１５】
ラベル２０を構成する基材も前述のＲＦＩＤタグ本体９を構成する基材と同一の基材を用いることができる。このラベル２０の一方の面には、たとえば、熱転写リボンなどを用いてプリンタによって所定の情報１２が印字される。この所定の情報１２は、あらかじめ固定表示部分を印刷機によって印刷したり、基材の表面に感熱記録層を設けてプリンタによって所定の情報１２が印字されるようにしても良い。また、このラベル２０の他方の面に塗布される粘着剤１４は、エマルジョン系、ソルベント系、ホットメルト系などの粘着剤を用いることができ、素材としては、アクリル系、ゴム系など任意であり適宜な組合せの粘着剤を用いて形成することができる。
【００１６】
前記ＲＦＩＤタグ本体９に内蔵された非接触ＩＣ本体６には図示せぬＲＦＩＤリーダライタによって、たとえば、衣料品を識別するための情報として物流コードやシリアル番号などの情報が書き込まれる。前記ラベル２０には図示せぬラベルプリンタによって、たとえば、衣料品を販売するための情報としてサイズや価格などが印字される。そして、前記ＲＦＩＤタグ本体９の情報表示をする面８に、前記ラベル２０を貼着することによって、所定の情報が表示されたＲＦＩＤタグ１０となる。こうしたＲＦＩＤタグ１０は、たとえば、ＲＦＩＤタグ本体９の端部中央に設けられたタグホールに糸やナイロンピンを通して、この糸やナイロンピンによって衣服に取り付けられる。
【００１７】
次に、本発明にかかるＲＦＩＤタグの使用形態について図３乃至図６を用いて説明する。前述のとおり、たとえば、糸やナイロンピンを用いて衣服に取り付けられたＲＦＩＤタグ１０は、この衣服の販売時に糸やナイロンピンを切断し衣服から取り外して回収される。このように衣服から取り外して回収されたＲＦＩＤタグ１０は、図３に示すとおり、ＲＦＩＤタグ本体９の情報表示する面８から、衣料品を販売するための情報である所定の情報１２を印字したラベル２０が剥離され、この販売済みの旧情報を表示したラベル２０は破棄される。    
【００１８】
このように販売済みの旧情報を表示したラベル２０が剥離されたＲＦＩＤタグ１０は、図４に示すとおり、ＲＦＩＤタグ本体９の情報を表示する面８に情報が全く表示されていない状態となる。また、この段階では、ＲＦＩＤタグ本体９に内蔵された図示せぬ非接触ＩＣタグ本体６には、販売済みの旧情報である衣料品を識別するための情報として物流コードやシリアル番号などの情報が書き込まれた状態のままである。しかし、この非接触ＩＣタグ本体６の衣料品を識別するための情報は、図示せぬリーダライターによって任意に消去および新たな情報を書き込むことができる。よって、図４に示すとおり、ＲＦＩＤタグ本体９の情報を表示する面８に情報が全く表示されていない状態が、ＲＦＩＤタグ１０が回収されて再利用可能な状態である。
【００１９】
回収されて再利用可能な状態となったＲＦＩＤタグ１０は、図示せぬリーダライターにセットされ、ＲＦＩＤタグ本体９に内蔵された非接触ＩＣ本体６に、衣料品を識別するための情報として新たな物流コードや新たなシリアル番号などの情報が書き込まれる。また、これらのＲＦＩＤタグ本体９に内蔵された非接触ＩＣ本体６に書き込まれた新たな物流コードや新たなシリアル番号などの情報に対応して、衣料品を販売するための新たな情報が印字されたラベルが図示せぬラベルプリンタによって発行される。図５に示すラベル２０は、この衣料品を販売するための新たな情報が印字されたものである。ラベル２０は、一方の面に衣料品を販売するための情報として品番、サイズ、色、バーコード、価格などの所定の情報１２が印字され、他方の面に粘着剤が塗布され、剥離紙１９の剥離処理面に仮着されている。
【００２０】
このように、衣料品を販売するための新たな情報が印字されたラベル２０は剥離紙１９から剥離されて、新たな情報が書き込まれた非接触ＩＣ本体６を内蔵したＲＦＩＤタグ本体９に貼着される。図６に示すＲＦＩＤタグ１０は、ＲＦＩＤタグ本体９に内蔵された図示せぬ非接触ＩＣ本体６に、衣料品を識別するための情報として新たな物流コードや新たなシリアル番号などの情報が書き込まれ、これらの新たな情報に対応して衣料品を販売するための新たな所定の情報１２が印字されたラベル２０を、ＲＦＩＤタグ本体９の情報表示する面８に貼着したものである。
【００２１】
上述したように、本発明にかかるＲＦＩＤタグ１０は、販売時に衣服から取り外して回収する。次に、ＲＦＩＤタグ本体９の情報表示する面８から販売済みの旧情報を表示したラベル２０を剥離して破棄する。次に、リーダライターによってＲＦＩＤタグ本体９に内蔵された非接触ＩＣ本体６に、衣料品を識別するための情報として新たな物流コードや新たなシリアル番号などの情報を書き込む。次に、ラベルプリンタによってラベル２０の一方の面に衣料品を販売するための新たな所定の情報１２を印字する。そして、前記ＲＦＩＤタグ本体９の情報表示する面８に前記ラベル２０を貼着することによって、ＲＦＩＤタグ１０を回収して再利用するものである。
【００２２】
次に、本発明にかかるＲＦＩＤタグの第２の実施の形態について図７を用いて説明する。図７は、第２の実施の形態のＲＦＩＤタグを説明する断面概略図である。なお、以下の実施の形態において、上述した第１の実施の形態と同一部分には同一符号を付し、詳細な説明は省略する。
【００２３】
本発明にかかるＲＦＩＤタグの第２の実施の形態は、前記ラベル２０の他方の面に塗布された粘着剤は、前記ＲＦＩＤタグ本体９の情報を表示する面８から剥離可能な再剥離性粘着剤１５である。図７に示すＲＦＩＤタグ１０のＲＦＩＤタグ本体９は情報表示する面８を備え、この情報表示する面８に、所定の情報１２が一方の面に印字され、他方の面に再剥離性粘着剤１５が塗布されたラベル２０を貼着して情報表示するものである。
【００２４】
前記再剥離性粘着剤１５は、アクリル系粘着剤に架橋剤を配合して粘着剤の凝集力を高めた溶剤型アクリル系粘着剤やエマルジョン型アクリル系粘着剤、粘着性とクッション性を有する弾性微球体を粘着剤に混合添加して、その弾性微球体による凹凸形状で接触面積を減少させた、弾性微球体含有エマルジョン型アクリル系粘着剤などを用いることができる。
【００２５】
このような再剥離性粘着剤１５を用いることによって、ＲＦＩＤタグ本体９の情報表示する面８から、たとえば販売済みの旧情報を表示したラベル２０を容易に剥離することができ、新たな情報を表示したラベル２０と貼り替えることができる。
【００２６】
次に、本発明にかかるＲＦＩＤタグの第３の実施の形態について図８を用いて説明する。図８は、第３の実施の形態のＲＦＩＤタグを説明する断面概略図である。
【００２７】
本発明にかかるＲＦＩＤタグの第３の実施の形態は、前記ＲＦＩＤタグ本体９の少なくとも情報表示する面１８および前記ラベル２１は樹脂フィルム基材または合成紙基材からなり、このラベル２１の他方の面に塗布された粘着剤は強粘着剤１６である。図８に示すＲＦＩＤタグ１０のＲＦＩＤタグ本体９は情報表示する面１８を備え、この情報表示する面１８に、所定の情報１２が一方の面に印字され、他方の面に強粘着剤１６が塗布されたラベル２１を貼着して情報表示するものである。
【００２８】
前記ＲＦＩＤタグ本体９の少なくとも情報表示する面１８および前記ラベル２１は、ポリエチレン、ポリプロピレン、ポリエチレンテレフタレート、ポリスチレン、ポリウレタンなどの樹脂フィルム基材、または、ポリエチレンやポリプロピレンなどに充填材を加えて紙のような繊維状に加工した合成紙基材、これらの単体や積層体や複合材を用いることができる。
【００２９】
前記ＲＦＩＤタグ本体９の少なくとも情報表示する面１８に、表面強度の強い樹脂フィルム基材または合成紙基材を用いることによって、この情報を表示する面１８からたとえば販売済みの旧情報を表示したラベル２１を剥離する際に、この情報を表示する面１８に破れが生じることなく容易にラベル２１を剥離することができる。これらの樹脂フィルム基材または合成紙基材は、前記ＲＦＩＤタグ本体９の少なくとも情報表示する面１８に用いられていれば良く、前記ＲＦＩＤタグ本体９を紙基材で構成して一方の面に樹脂フィルム基材または合成紙基材を接着して情報表示する面１８としたり、もちろん前記ＲＦＩＤタグ本体９を樹脂フィルム基材または合成紙基材で構成しても良い。
【００３０】
また、前記情報表示する面１８と同様に前記ラベル２１に、基材全体の強度が強い樹脂フィルム基材または合成紙基材を用いることによって、このラベル２１を前記情報表示する面１８から剥離する際に、ラベル２１に破れが生じることなく容易に剥離することができる。このようにラベル２１は、樹脂フィルム基材または合成紙基材を用いることによって、前記情報表示する面１８からラベル２１を剥離する際に破れが生じることないので、このラベル２１の一面に塗布される粘着剤としては、一度接着した後は剥離することが困難な接着力を有する強粘着剤１６を用いることができる。
【００３１】
このようにラベル２１の一面に塗布される粘着剤を強粘着剤１６で構成することによって、このラベル２１をＲＦＩＤ本体９の情報表示する面１８に、一度接着した後は剥離することが困難な状態に接着することができる。また、前記ＲＦＩＤタグ本体９の少なくとも情報表示する面１８および前記ラベル２１を樹脂フィルム基材または合成紙基材で構成することによって、ラベル２１を情報表示する面１８から剥離する際に、ラベル２１および情報表示する面１８そのいずれにも破れが生じることなくラベル２１を容易に剥離することができ、新たな情報を表示したラベル２１と貼り替えることができる。
【００３２】
なお、本発明が上記実施の形態に限定されず、本発明の技術思想の範囲内において、実施の形態は適宜変更可能である。また、上記構成部材の数、位置、形状等は上記実施の形態に限定されず、本発明を実施する上で好適な数、位置、形状等にすることができる。  
【図面の簡単な説明】
【００３３】
【図１】第１の実施の形態のＲＦＩＤタグの説明図である。
【図２】図１に示すＩＩ−ＩＩ線概略断面図である。
【図３】第１の実施の形態のＲＦＩＤタグからラベルを剥離する前の説明図である。
【図４】第１の実施の形態のＲＦＩＤタグからラベルを剥離した後の説明図である。
【図５】新たに印字発行されたラベルの説明図である。
【図６】第１の実施の形態のＲＦＩＤタグに新たに印字発行されたラベルを貼着した説明図である。
【図７】第２の実施の形態のＲＦＩＤタグを説明する概略断面図である。
【図８】第３の実施の形態のＲＦＩＤタグを説明する概略断面図である。
【符号の説明】
【００３４】
２  ＩＣチップ
４  アンテナ
６  非接触ＩＣ本体
８、１８  情報表示する面
９  ＲＦＩＤタグ本体
１０  ＲＦＩＤタグ
１２  所定の情報
１４  粘着剤
１５  再剥離性粘着剤
１６  強粘着剤
１９  剥離紙
２０、２１  ラベル
【図１】
2006011320.tif 000003
【図２】
2006011320.tif 000004
【図３】
2006011320.tif 000005
【図４】
2006011320.tif 000006
【図５】
2006011320.tif 000007
【図６】
2006011320.tif 000008
【図７】
2006011320.tif 000009
【図８】
2006011320.tif 000010